【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
通信端末装置が、ユーザの操作に基づいて金融商品の取引注文をサーバ装置へ送信する金融商品取引システムにおいて、
前記通信端末装置は、
金融商品に係る複数の銘柄の取引に応じたアイコンを選択可能に含む画面を表示する手段と、
前記アイコンの選択操作を受け付けた場合、前記複数の銘柄を含む取引画面を表示する手段と、
前記複数の銘柄をそれぞれ同額で買い付ける旨の係る買付操作を受け付ける手段と、
前記買付操作を受け付けたことに伴って、前記買付操作に応じた前記複数の銘柄に係る金融商品のそれぞれを、同額で買い付ける旨の買付注文を前記サーバ装置へ送信する処理を行う手段と
を備え、
前記サーバ装置は、
前記買付注文を受信した場合、前記複数の銘柄に係る金融商品のそれぞれを、同額で買い付ける処理を行うことを特徴とする金融商品取引システム。
【請求項２】
通信端末装置が、サーバ装置がウェブサイト上で提供する金融商品の取引に係るウェブページ画面を表示して、ユーザの操作に基づき金融商品の取引注文をサーバ装置へ送信する金融商品取引システムにおいて、
前記サーバ装置は、
金融商品に係る複数の銘柄の取引に応じたウェブページ画面に係るウェブサイトを提供しており、
前記通信端末装置は、
金融商品に係る複数の銘柄の取引に応じたアイコンを選択可能に含むウェブページ画面を表示する手段と、
前記アイコンの選択操作を受け付けた場合、前記複数の銘柄を含む取引に係るウェブページ画面を表示する手段と、
前記複数の銘柄をそれぞれ同額で買い付ける旨の係る買付操作を受け付ける手段と、
前記買付操作を受け付けたことに伴って、前記買付操作に応じた前記複数の銘柄に係る金融商品のそれぞれを、同額で買い付ける旨の買付注文を前記サーバ装置へ送信する処理を行う手段と
を備え、
前記サーバ装置は更に、
前記買付注文を受信した場合、前記複数の銘柄に係る金融商品のそれぞれを、同額で買い付ける処理を行うことを特徴とする金融商品取引システム。
【請求項３】
通信端末装置が、ユーザの操作に基づいて金融商品の取引注文をサーバ装置へ送信する金融商品取引方法において、
前記通信端末装置は、
金融商品に係る複数の銘柄の取引に応じたアイコンを選択可能に含む画面を表示するステップと、
前記アイコンの選択操作を受け付けた場合、前記複数の銘柄を含む取引画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を前記サーバ装置へ送信する処理を行うステップと
を備え、
前記サーバ装置は、
前記買付注文を受信した場合、前記複数の銘柄に係る金融商品のそれぞれを、同額で買い付ける処理を行うステップを備えることを特徴とする金融商品取引方法。
【請求項４】
通信端末装置が、サーバ装置がウェブサイト上で提供する金融商品の取引に係るウェブページ画面を表示して、ユーザの操作に基づき金融商品の取引注文をサーバ装置へ送信する金融商品取引方法において、
前記サーバ装置は、
金融商品に係る複数の銘柄の取引に応じたウェブページ画面に係るウェブサイトを提供するステップを備え、
前記通信端末装置は、
金融商品に係る複数の銘柄の取引に応じたアイコンを選択可能に含むウェブページ画面を表示するステップと、
前記アイコンの選択操作を受け付けた場合、前記複数の銘柄を含む取引に係るウェブページ画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を前記サーバ装置へ送信する処理を行うステップと
を備え、
前記サーバ装置は更に、
前記買付注文を受信した場合、前記複数の銘柄に係る金融商品のそれぞれを、同額で買い付ける処理を行うステップを備えることを特徴とする金融商品取引方法。
【請求項５】
ユーザの操作に基づいて金融商品の取引注文を外部のサーバ装置へ送信する通信端末装置において、
金融商品に係る複数の銘柄の取引に応じた一のアイコンを選択可能に含む画面を表示する手段と、
前記一のアイコンの選択操作を受け付けた場合、前記複数の銘柄を含む取引画面を表示する手段と、
前記複数の銘柄をそれぞれ同額で買い付ける旨の係る買付操作を受け付ける手段と、
前記買付操作を受け付けたことに伴って、前記買付操作に応じた前記複数の銘柄に係る金融商品のそれぞれを、同額で買い付ける旨の買付注文を外部のサーバ装置へ送信する処理を行う手段と
を備えることを特徴とする通信端末装置。
【請求項６】
前記一のアイコンと共に、特定の銘柄の取引に応じた他のアイコンを選択可能に表示する手段と、
前記他のアイコンの選択操作を受け付けた場合、前記選択操作を受け付けた他のアイコンに係る特定の銘柄の取引の画面を表示する手段と
を備える請求項５に記載の通信端末装置。
【請求項７】
ウェブサイト上で提供される金融商品の取引に係るウェブページ画面を表示して、ユーザの操作に基づき金融商品の取引注文を外部のサーバ装置へ送信する通信端末装置において、
金融商品に係る複数の銘柄の取引に応じたアイコンを選択可能に含むウェブページ画面を表示する手段と、
前記アイコンの選択操作を受け付けた場合、前記複数の銘柄を含む取引に係るウェブページ画面を表示する手段と、
前記複数の銘柄をそれぞれ同額で買い付ける旨の係る買付操作を受け付ける手段と、
前記買付操作を受け付けたことに伴って、前記買付操作に応じた前記複数の銘柄に係る金融商品のそれぞれを、同額で買い付ける旨の買付注文を外部のサーバ装置へ送信する処理を行う手段と
を備えることを特徴とする通信端末装置。
【請求項８】
前記金融商品は、日本の企業の株式又は海外の企業の株式にしてある請求項５乃至請求項７のいずれか１項に記載の通信端末装置。
【請求項９】
前記金融商品は、ＥＴＦ又はＲＥＩＴにしてある請求項５乃至請求項７のいずれか１項に記載の通信端末装置。
【請求項１０】
通信端末装置が、ユーザの操作に基づいて金融商品の取引注文を外部のサーバ装置へ送信する処理を行う金融商品取引方法において、
前記通信端末装置は、
金融商品に係る複数の銘柄の取引に応じたアイコンを選択可能に含む画面を表示するステップと、
前記アイコンの選択操作を受け付けた場合、前記複数の銘柄を含む取引画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を外部のサーバ装置へ送信する処理を行うステップと
を実行することを特徴とする金融商品取引方法。
【請求項１１】
通信端末装置が、ウェブサイト上で提供される金融商品の取引に係るウェブページ画面を表示して、ユーザの操作に基づき金融商品の取引注文を外部のサーバ装置へ送信する処理を行う金融商品取引方法において、
前記通信端末装置は、
金融商品に係る複数の銘柄の取引に応じたアイコンを選択可能に含むウェブページ画面を表示するステップと、
前記アイコンの選択操作を受け付けた場合、前記複数の銘柄を含む取引に係るウェブページ画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を外部のサーバ装置へ送信する処理を行うステップと
を実行することを特徴とする金融商品取引方法。
【請求項１２】
通信機能を有するコンピュータに、ユーザの操作に基づいて金融商品の取引注文を外部のサーバ装置へ送信する処理を行わせるためのコンピュータプログラムにおいて、
前記コンピュータに、
金融商品に係る複数の銘柄の取引に応じたアイコンを選択可能に含む画面を表示するステップと、
前記アイコンの選択操作を受け付けた場合、前記複数の銘柄を含む取引画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を外部のサーバ装置へ送信する処理を行うステップと
を実行させることを特徴とするコンピュータプログラム。
【請求項１３】
通信機能を有するコンピュータに、ウェブサイト上で提供される金融商品の取引に係るウェブページ画面を表示させて、ユーザの操作に基づき金融商品の取引注文を外部のサーバ装置へ送信する処理を行わせるためのコンピュータプログラムにおいて、
前記コンピュータに、
金融商品に係る複数の銘柄の取引に応じたアイコンを選択可能に含むウェブページ画面を表示するステップと、
前記アイコンの選択操作を受け付けた場合、前記複数の銘柄を含む取引に係るウェブページ画面を表示するステップと、
前記複数の銘柄をそれぞれ同額で買い付ける旨の係る買付操作を受け付けるステップと、
前記買付操作を受け付けたことに伴って、前記買付操作に応じた前記複数の銘柄に係る金融商品のそれぞれを、同額で買い付ける旨の買付注文を外部のサーバ装置へ送信する処理を行うステップと
を実行させることを特徴とするコンピュータプログラム。